(57)【特許請求の範囲】
【請求項１】
少なくとも片脇に、前腕が入る程度の長さを有しほぼ縦方向に延びるスリットが形成されていると共に、裏側に、前記スリットから挿入した前腕を支持するための前腕支持部が形成され、前記前腕支持部は、使用の際に前腕の周りを取り囲むことができるようなカバーによって構成され、前記カバーの先端部は該カバーの後端部に対して内側に折返し可能に構成され、前記カバーの先端部および後端部には、折り返した状態で相互に係着する係着手段が設けられていることを特徴とする腕吊り用ベスト。
【請求項２】
前記カバーはポケットを構成していることを特徴とする請求項１記載の腕吊り用ベスト。
【請求項３】
前記カバーの奥行きは２５ｃｍ以上となっていることを特徴とする請求項１または２記載の腕吊り用ベスト。
【請求項４】
前記係着手段はボタンとボタン留めとから構成されていることを特徴とする請求項１〜３いずれか記載の腕吊り用ベルト。
【請求項５】
前記前腕支持部は、肘から手先に向けて水平方向下方に０〜４０°程度の角度で延在するような状態で、該前腕を支持できるように構成されていることを特徴とする請求項１〜４いずれか記載の腕吊り用ベスト。
【請求項６】
本体は、前開きとなっており、前身ごろ同士をボタンまたはジッパーによって係合させることができるように構成されていることを特徴とする請求項１〜５いずれか記載の腕吊り用ベスト。
【発明の詳細な説明】
【０００１】
【発明の属する技術分野】
本発明は、腕吊り用ベストに関するもので、さらに詳しくは、片腕が不自由な人がその片腕を吊るのに好適な腕吊り用ベストに関するものである。
【０００２】
【従来の技術】
例えば、脳卒中や片麻痺となると、片腕の機能が十分に回復しないでその片腕がぶら下がった状態となる場合がある。この場合、その片腕をぶら下がったままの状態にしておくと、その片腕が歩行の際の邪魔となったり、その片腕を支える肩等に痛み等が発生することも多い。
そのため、従来、その不自由となった片腕を、図５に示すように三角巾１で吊ったり、図６に示すように腕吊り用専用器具であるアームスリング２で吊ったりすることが行われている。
【０００３】
【発明が解決しようとする課題】
しかし、三角巾１やアームスリング２で腕を吊る場合、片腕が不自由であることが傍目から一目で分かり、ファッション性が損なわれることなどから、三角巾１やアームスリング２の使用を希望しない人も多い。
【０００４】
一方、特に三角巾１で腕を吊る場合には、三角巾１に腕を通してその三角巾１上に腕を載せることとなるが、腕の固定が難しく、例えば、歩行中に前後方向での腕が揺れ、その腕を支える肩等に痛み等を感じる場合もある。
【０００５】
本発明は、かかる点に鑑みなされたもので、周囲の目を気にしなくて済み、ファッション性に優れ、かつ、腕を確実に固定できる腕吊り用ベストを提供することを目的としている。
【０００６】
【課題を解決するための手段】
請求項１記載の腕吊り用ベストは、少なくとも片脇に、前腕が入る程度の長さを有しほぼ縦方向に延びるスリットが形成されていると共に、裏側に、前記スリットから挿入した前腕を支持するための前腕支持部が形成され、前記前腕支持部は、使用の際に前腕の周りを取り囲むことができるようなカバーによって構成され、前記カバーの先端部は該カバーの後端部に対して内側に折返し可能に構成され、前記カバーの先端部および後端部には、折り返した状態で相互に係着する係着手段が設けられていることを特徴とするものである。係着手段としてはボタン・ボタン留めの組合せ、マジックテープ、ホックその他の係着手段が用いられる。
この腕吊り用ベルトによれば、不自由な腕の前腕をスリットから挿入することで、本体と腹との間で前腕が固定される一方で、前腕が前腕支持部によって支えられるため、歩行の際にも腕が邪魔になることはないばかりか、痛み等の発生を抑制することができる。また、前腕が本体の裏側に潜り込むことになるので、ファッション性を害することもないばかりか、三角巾やアームスリング等の露出する部材を用いる必要がないため、周囲の目を気にしないでも済むことになる。
また、この腕吊り用ベストによれば、腕吊りのために使用しない側のカバーを折り返された状態に保つことで、そのカバーの一部を物入れ用ポケットとして利用できるという利点がある。
【０００７】
請求項２記載の腕吊り用ベストは、請求項１記載の腕吊り用ベストにおいて、前記カバーはポケットを構成していることを特徴とするものである。
この腕吊り用ベストによれば、必要に応じて、カバーの一部を腕吊り用ベストに固定することで前腕をしっかりと固定することができる。
【０００８】
請求項３記載の腕吊り用ベストは、請求項１または２記載の腕吊り用ベストにおいて、前記カバーの奥行きは２５ｃｍ以上となっていることを特徴とするものである。この腕吊り用ベストによれば、カバーの奥行きが２５ｃｍ以上となっているので、抜けることなく十分に前腕をカバーにて支持することができる。
【００１０】
請求項４記載の腕吊り用ベストは、請求項１〜３いずれか記載の腕吊り用ベストにおいて、前記係着手段はボタンとボタン留めとから構成されていることを特徴とするものである。
この腕吊り用ベストによれば、係着手段がボタンとボタン留めとから構成されているので、洗濯する場合に、その係着手段が破損することがない。
【００１１】
請求項５記載の腕吊り用ベストは、請求項１〜４いずれか記載の腕吊り用ベストにおいて、前記前腕支持部は、肘から手先に向けて水平方向下方に０〜４０°程度の角度で延在するような状態で、該前腕を支持できるように構成されていることを特徴とするものである。
この腕吊り用ベストによれば、前腕が水平方向に対して０〜４０°程度の角度で支持されるので、前腕が楽な状態で、しかも安定して吊られることになる。
【００１２】
請求項６記載の腕吊り用ベストは、請求項１〜５いずれか記載の腕吊り用ベストにおいて、本体は、前開きとなっており、前身ごろ同士をボタンまたはジッパーによって係合させることができるように構成されていることを特徴とするものである。
この腕吊り用ベストによれば、前開きとなっているため腕が通しやすく、しかもボタンまたはジッパーによって前身ごろ同士を係合できるので、腕吊り用ベストを着たり脱いだりするのが簡単であると共に、腕の固定が確実になされることになる。
【００１３】
【発明の実施の形態】
図１には本発明に係る腕吊り用ベストが示されている。同図において符号１０は腕吊り用ベストの全体を指示している。
この腕吊り用ベスト１０は着やすいように前開きのベストとなっている。また、腕吊り用ベスト１０の前身ごろ同士はボタンによって係合されるようになっている。この実施形態の腕吊り用ベスト１０によれば、前身ごろ同士をボタンによって係合するようにしたが、ボタンの代わりに、ホック、ジッパー等によって前身ごろ同士を係合させるようにしても良い。なお、この腕吊り用ベスト１０の生地としては革、合革、合成繊維、布いずれであっても良い。
【００１４】
腕吊り用ベスト１０にはその両脇にほぼ縦方向に延びるスリット１１が形成されている。つまり、この腕吊り用ベスト１０は、通常のベストがスリットが横方向に延びているのに反して、スリット１１がほぼ縦方向に延在していることが１つの特徴となっている。なお、この実施形態の腕吊り用ベスト１０によれば、両脇にスリット１１を形成しているが、片脇だけにスリット１１を形成するようにしても良い。
【００１５】
また、この腕吊り用ベスト１０のスリット１１は、前腕が入る位の長さに構成されている。つまり、この腕吊り用ベスト１０は、通常のベストが親指を除く４本の指先が入れる位の長さしか持っていないのに反して、前腕が入る位、大きな長さとなっていることも１つの特徴となっている。
【００１６】
さらに、この腕吊り用ベスト１０の裏側には、図２および図３に示すように、前腕支持部として、各スリット１１に連通するポケット１２が形成されている。このポケット１２は前腕のほとんどが入る長さとなっている。例えば、このポケット１２は、使用する人の腕の長さ等にもよるが、２５ｃｍ程度以上の深さを有している。つまり、この腕吊り用ベスト１０は、通常のベストのポケットは時計用ポケットとなっていて親指を除く４本の指先が入れる位の深さしか持っていないのに反して、前腕が入る位、深くなっていることも１つの特徴となっている。なお、この実施形態の腕吊り用ベスト１０ではポケット１２としているが、腕吊り用ベスト１０の裏地を利用し、その裏地の一部を表地に縫い付け、スリット１１に前腕を挿入したときに、この裏地と表地の間に前腕が導かれるようにし、裏地と表地とを縫い付けた部分を前腕支持部として利用するようにしても良い。ただし、この場合には、前腕を十分にスリットに挿入できないおそれがあるので、裏地と表地との間に手先が挿通できるような穴を形成しておくことが好ましい。また、この実施形態の腕吊り用ベスト１０によればポケット１２としているが、ポケット１２の代わりに、底の抜けたカバーを用いるようにしても良い。
【００１７】
また、このポケット１２は図４に示すように深さ方向途中で折返し可能となっている。そして、このポケット１２は、折り返した状態で、雄雌のホック１３ａ，１３ｂでもってポケット１２の先端部と後端部とが係着可能となっている。係着状態ではポケット１２は腕吊り用ポケットではなくて、物入れ用ポケットとして利用できる。つまり、正常な腕側のポケット１２を折返し状態にしておけば、そのポケット１２を物入れとして利用できるので、大変便利である。この効果は、ポケット１２の代わりに、前記カバーを用いた場合にも得ることができる。なお、この実施形態の腕吊り用ベスト１０によれば、ポケット１２の先端部と後端部とが雄雌のホック１３ａ，１３ｂによって係着するようにしたが、ホック１３ａ，１３ｂの代わりに、ボタン、ジッパー等を設けても良い。
【００１８】
さらに、ポケット１２は、肘から手先に向けて水平方向下方に０〜４０°程度の角度で延在するような状態で、前腕を支持できるように構成されている。このような角度とすれば、前腕が楽な状態で、しかも安定した状態で吊られることになる。
【００１９】
次に、この腕吊り用ベスト１０の使用の仕方を説明する。
この腕吊り用ベスト１０は夏ならば半袖等の上に羽織って使用され、冬ならば長袖等の上に羽織って使用される。この場合、腕吊り用ベスト１０はノースリーブとなっているため、腕通し等が容易である。また、腕吊り用ベスト１０は前ボタンとなっているため、その分、腕通し等が容易である。
このようにして、腕吊り用ベスト１０に腕通ししたら、不自由な側の前腕をスリット１１からポケットに入れる。これにより、不自由な側の前腕を固定する。
【００２０】
以上、本発明の実施形態について説明したが、本発明は、かかる実施形態に限定されるものではなく、その要旨を逸脱しない範囲で、種々の変形が可能であることはいうまでもない。
【００２１】
【発明の効果】
この腕吊り用ベルトによれば、不自由な腕の前腕をスリットから挿入することで、本体と腹との間で前腕が固定される一方で、前腕が前腕支持部によって支えられるため、歩行の際にも腕が邪魔になることはないばかりか、痛み等の発生を抑制することができる。
【００２２】
また、前腕が本体の裏側に潜り込むことになるので、ファッション性を害することもないばかりか、三角巾やアームスリング等の露出する部材を用いる必要がないため、周囲の目を気にしないでも済むことになる。
【図面の簡単な説明】
【図１】本発明に係る腕吊り用ベストの外観図である。
【図２】本発明に係る腕吊り用ベストの使用状態図である。
【図３】本発明に係る腕吊り用ベストの裏面図である。
【図４】本発明に係る腕吊り用ベストのポケット部分の斜視図である。
【図５】三角巾の使用状態図である。
【図６】アームスリングの使用状態図である。
【符号の説明】
１０…腕吊り用ベスト、１１…スリット、１２…ポケット
【図１】
0003921284.tif 000002
【図２】
0003921284.tif 000003
【図３】
0003921284.tif 000004
【図４】
0003921284.tif 000005
【図５】
0003921284.tif 000006
【図６】
0003921284.tif 000007